(57)【要約】  媒体アクセス制御方法（１００）は、少なくとも１つの媒体アクセス要求に応答して少なくとも１つの媒体アクセス許可を発生するステップ（１８０）を含む。本方法は、少なくとも１つのクロック・ライン（４４０）を低電力モードに維持しながら、データ・ラインをモニタリングして（１３０）、データ・ライン及びクロック・ラインに接続された少なくとも１つの構成要素により発生された少なくとも１つの媒体アクセス要求を検出するステップと、低電力モードを出るよう少なくとも１つのクロック・ラインを強制し（１４０）、且つ媒体アクセス制御器又は少なくとも１つの構成要素がデータ・ラインにアクセスすることを要求するとき競合阻止期間を開始するステップとを備えることを特徴とする。装置（４００）は、データ・ライン（４３０）に接続され且つ情報をデータ・ラインを介して、第１のクロック・レートに応じた送信レートで送信するよう適合された複数の構成要素（４２０）を含む。本装置（４００）は更に、高周波数クロック信号をクロック・ラインを介して与えるよう適合され、更に送信の完了前に、送信される情報に応答して、クロック・レートを実質的に低減するときを決定するよう適合されたクロック信号プロバイダ（４１５）含むことを特徴とする。
2008542932.tif 000002
【特許請求の範囲】
【請求項１】
少なくとも１つの媒体アクセス要求に応答して少なくとも１つの媒体アクセス許可を発生するステップ（１８０）を備える媒体アクセス制御方法（１００）であって、
少なくとも１つのクロック・ライン（４４０）を低電力モードに維持しながら、データ・ラインをモニタリングして（１３０）、前記データ・ライン（４３０）及び前記クロック・ライン（４４０）に結合される少なくとも１つの構成要素により発生された少なくとも１つの媒体アクセス要求を検出するステップと、
前記低電力モードを出るよう前記少なくとも１つのクロック・ライン（４４０）を強制し（１４０）、且つ媒体アクセス制御器又は少なくとも１つの構成要素が前記データ・ライン（４３０）にアクセスすることを要求するとき競合阻止期間を開始するステップと
を備えることを特徴とする媒体アクセス制御方法（１００）。
【請求項２】
前記競合阻止期間を終了させるステップ（１５０）を更に備える請求項１記載の媒体アクセス制御方法（１００）。
【請求項３】
前記強制するステップ（１４０）が、クロック信号を与えるステップを備える請求項１又は２記載の媒体アクセス制御方法（１００）。
【請求項４】
前記モニタリングするステップ（１３０）が、前記クロック・ライン（４４０）を介したクロック信号の供給を阻止するステップを備える請求項１から３のいずれか一項に記載の媒体アクセス制御方法（１００）。
【請求項５】
前記媒体アクセス制御器が前記競合阻止期間中に送信することを阻止するステップ（１４５）を更に備える請求項１から４のいずれか一項に記載の媒体アクセス制御方法（１００）。
【請求項６】
前記阻止するステップ（１４５）が、前記媒体アクセス制御器により、高インピーダンス出力を前記データ・ライン（４３０）に与えるステップを備える請求項１から５のいずれか一項に記載の媒体アクセス制御方法（１００）。
【請求項７】
少なくとも１つのマスタ構成要素及び少なくとも１つのスレーブ構成要素が、前記データ・ライン（４３０）に結合される請求項１から６のいずれか一項に記載の媒体アクセス制御方法（１００）。
【請求項８】
情報が、単一のデータ・ライン（４３０）を介して送信される請求項１から７のいずれか一項に記載の媒体アクセス制御方法（１００）。
【請求項９】
前記競合阻止期間が、１クロック・サイクル長である請求項１から８のいずれか一項に記載の媒体アクセス制御方法（１００）。
【請求項１０】
少なくとも１つの媒体アクセス要求が、電力制御情報と関連付けられている請求項１から９のいずれか一項に記載の媒体アクセス制御方法（１００）。
【請求項１１】
前記データ・ライン（４３０）に結合された少なくとも１つの構成要素が、電力管理構成要素である請求項１から１０のいずれか一項に記載の媒体アクセス制御方法（１００）。
【請求項１２】
信号をデータ・ラインを介して交換する方法（３００）であって、複数の構成要素（４２０）により共用されるデータ・ライン（４３０）にアクセスすることを許可するステップ（３１０）と、情報を前記データ・ラインを介して、第１のクロック・レートに応じた送信レートで送信するステップ（３２０）とを備える方法（３００）において、
前記送信の完了の前に、送信される情報に応答して、前記クロック・レートを実質的に低減するときを決定するステップ（３３０）を備えることを特徴とする方法（３００）。
【請求項１３】
前記許可するステップ（３１０）が、前記データ・ライン（４３０）をモニタリングして、前記データ・ライン（４３０）にアクセスする要求を検出し、それに応答して、前記クロック・レートを増大するステップを備える請求項１２記載の方法（３００）。
【請求項１４】
データ・ライン（４１０）に結合された複数の構成要素（４２０，４１０）を備える装置（４００，４００′）であって、
（ｉ）少なくとも１つのクロック・ラインを低電力モードに維持しながら、前記データ・ラインをモニタリングし、（ｉｉ）前記少なくとも１つの構成要素により発生された少なくとも１つの媒体アクセス要求を検出し、（ｉｉｉ）前記低電力モードを出るよう前記少なくとも１つのクロック・ラインを強制し、且つ少なくとも１つの検出された媒体アクセス要求に応答して競合阻止期間を開始し、（ｉｖ）少なくとも１つの媒体アクセス許可を発生するよう適合された媒体アクセス制御器（４１０）を備えることを特徴とする装置（４００，４００′）。
【請求項１５】
前記媒体アクセス制御器（４１０）が更に、前記競合阻止期間を終了するよう適合されている請求項１４記載の装置（４００，４００′）。
【請求項１６】
前記媒体アクセス制御器（４１０）が、クロック信号を前記クロック・ライン（４４０）を介して与えることにより前記低電力モードを出るよう前記少なくとも１つのクロック・ライン（４４０）を強制する請求項１４又は１５記載の装置（４００，４００′）。
【請求項１７】
前記媒体アクセス制御器（４１０）が更に、前記競合阻止期間中に前記データ・ライン（４３０）を介して送信しないよう適合されている請求項１４から１６のいずれか一項に記載の装置（４００，４００′）。
【請求項１８】
前記少なくとも１つの構成要素が、少なくとも１つのマスタ構成要素及び少なくとも１つのスレーブ構成要素を備える請求項１４から１７のいずれか一項に記載の装置（４００，４００′）。
【請求項１９】
情報が前記データ・ライン（４３０）を介してのみ送信される請求項１４から１８のいずれか一項に記載の装置（４００，４００′）。
【請求項２０】
前記競合阻止期間が、２クロック・サイクル長である請求項１４から１９のいずれか一項に記載の装置（４００，４００′）。
【請求項２１】
少なくとも１つの媒体アクセス要求が、電力制御情報と関連付けられている請求項１４から２０のいずれか一項に記載の装置（４００，４００′）。
【請求項２２】
少なくとも１つの構成要素が、電力管理構成要素である請求項１４から２１のいずれか一項に記載の装置（４００，４００′）。
【請求項２３】
データ・ライン（４３０）に結合され且つ情報を前記データ・ラインを介して、第１のクロック・レートに応じた送信レートで送信するよう適合された少なくとも１つの構成要素を備える装置（４００，４００′）であって、
高周波数クロック信号を前記クロック・ライン（４４０）を介して与えるよう適合され、更に送信の完了前に、送信される情報に応答して、前記クロック・レートを実質的に低減するときを決定するよう適合されたクロック信号プロバイダ（４１５）を備えることを特徴とする装置（４００，４００′）。
【請求項２４】
媒体アクセス制御器（４２０）が、前記クロック信号プロバイダ（４１５）を備える請求項２３記載の装置（４００，４００′）。
【請求項２５】
共に少なくとも１つの構成要素（４２０）に結合されているデータ・ライン（４３０）及びクロック・ライン（４４０）を備える装置（４００）であって、
高周波数クロック信号を前記クロック・ライン（４４０）を介して、前記データ・ライン（４３０）を介したデータの送信中及び媒体アクセス制御シーケンス中に与え、且つ前記データ・ライン（４３０）へのアクセスを選択的に許可するよう適合された媒体アクセス制御器（４１０）を備えることを特徴とする装置（４００）。
【請求項２６】
高周波数クロック信号を前記クロック・ライン（４４０）を介して、前記データ・ライン（４３０）を介したデータの受信中に与えるよう適合された請求項２５記載の装置（４００）。
【請求項２７】
データ転送スレーブとして動作し、且つデータ転送スレーブとして動作している間に高周波数クロック信号を前記クロック・ライン（４４０）を介して与えるよう適合された請求項２５記載の装置（４００）。
【請求項２８】
媒体アクセス要求期間を、前記データ・ライン（４３０）に結合された複数の構成要素（４２０）に割り当てるよう更に適合された請求項２５から２７のいずれか一項に記載の装置（４００）。
【請求項２９】
媒体アクセス許可期間を、前記データ・ライン（４３０）に結合された複数の構成要素（４２０）に割り当てるよう更に適合された請求項２５から２８のいずれか一項に記載の装置（４００）。
【請求項３０】
前記媒体アクセス要求期間が、媒体アクセス要求期間の連続のシーケンスを形成する請求項２８又は２９記載の装置（４００）。
【請求項３１】
前記媒体アクセス許可期間が、媒体アクセス許可期間の連続のシーケンスを形成する請求項２８から３０のいずれか一項に記載の装置（４００）。
【請求項３２】
信号をデータ・ラインを介して交換する方法（６００）であって、媒体アクセス制御器（４１０）によりデータ・ライン（４３０）へのアクセスを許可するステップ（６１０）であって、前記データ・ライン（４３０）が複数の構成要素（４２０）により共用される、前記許可するステップ（６１０）と；情報を前記データ・ラインを介して、クロック信号レートに応じた送信レートで送信するステップ（３２０）とを備える方法（６００）において、
前記媒体アクセス制御器（４１０）により前記クロック信号をクロック・ライン（４４０）を介して与えるステップ（６３０）を備えることを特徴とする方法（６００）。
【請求項３３】
前記許可するステップ（６１０）が、前記データ・ライン（４３０）をモニタリングして、前記データ・ライン（４３０）にアクセスする要求を検出するステップと、それに応答して、前記クロック信号レートを増大するステップとを備える請求項３２記載の方法（６００）。
【請求項３４】
媒体アクセス要求期間を前記データ・ライン（４３０）に結合された複数の構成要素（４２０）に割り当てるステップ（１２０）を更に備える請求項３２又は３３記載の方法（６００）。
【請求項３５】
媒体アクセス許可期間を、前記データ・ライン（４３０）に結合された複数の構成要素（４２０）に割り当てるステップ（１２５）を更に備える請求項３２から３４のいずれか一項に記載の方法（６００）。
【請求項３６】
前記媒体アクセス要求期間が、媒体アクセス要求期間の連続のシーケンスを形成する請求項３４又は３５記載の方法（６００）。
【請求項３７】
前記媒体アクセス許可期間が、媒体アクセス許可期間の連続のシーケンスを形成する請求項３５又は３６記載の方法（６００）。
【請求項３８】
その中に１組の命令を格納したコンピュータ可読媒体（８００）であって、前記１組の命令は、媒体アクセス制御器（４１０）により実行されるとき、前記媒体アクセス制御器（４１０）に少なくとも１つの媒体アクセス要求に応答して少なくとも１つの媒体アクセス許可を発生させる、前記コンピュータ可読媒体（８００）において、
前記媒体アクセス制御器（４１０）に、
少なくとも１つのクロック・ライン（４４０）を低電力モードに維持しながら、データ・ライン（４３０）をモニタリングして（１３０）、前記データ・ライン（４３０）及び前記クロック・ラインに結合される少なくとも１つの構成要素により発生された少なくとも１つの媒体アクセス要求を検出させ、及び
前記低電力モードを出るよう前記少なくとも１つのクロック・ライン（４４０）を強制させ、且つ媒体アクセス制御器（４１０）又は少なくとも１つの構成要素が前記データ・ラインにアクセスすることを要求するとき、競合阻止期間を開始させる
ことを特徴とするコンピュータ可読媒体（８００）。
【請求項３９】
その中に１組の命令を格納したコンピュータ可読媒体（８００）であって、前記１組の命令は、媒体アクセス制御器（４１０）により実行されるとき、前記媒体アクセス制御器（４１０）に、前記媒体アクセス制御器（４１０）及び少なくとも１つの構成要素により共用されるデータ・ラインへのアクセスを許可させ、それにより構成要素が、情報を前記データ・ライン（４３０）を介して、第１のクロック・レートに応じた送信レートで送信する、前記コンピュータ可読媒体（８００）において、
前記媒体アクセス制御器（４１０）に、前記の送信の完了前に、送信される情報に応答して、前記クロック・レートを実質的に低減するときを決定させることを特徴とするコンピュータ可読媒体（８００）。
【請求項４０】
その中に１組の命令を格納したコンピュータ可読媒体（８００）であって、前記１組の命令は、媒体アクセス制御器（４１０）により実行されるとき、前記媒体アクセス制御器（４１０）に前記データ・ライン（４３０）へのアクセスを許可させ、前記データ・ライン（４３０）が、複数の構成要素（４２０）により共用される、コンピュータ可読媒体（８００）において、
前記媒体アクセス制御器（４１０）に、クロック信号をクロック・ライン（４４０）を介して、情報を前記データ・ラインを介してクロック信号レートに応じた送信レートで送信する間に与えさせることを特徴とするコンピュータ可読媒体（８００）。
【請求項４１】
データ・ラインに結合された複数の構成要素のうちのどの構成要素がデータ・ライン（４３０）へのアクセスを獲得することになるかを決定するステップを備える媒体アクセス制御方法（７００）であって、
媒体アクセス制御器により媒体アクセス要求期間を前記複数の構成要素（４２０）に割り当てるステップ（１２０）と、
前記媒体アクセス制御器により媒体アクセス許可期間を前記複数の構成要素（４２０）に割り当てるステップ（１２５）と、
前記媒体アクセス制御器により、前記複数の構成要素（４２０）のうちの少なくとも１つにより発生された少なくとも１つの初期媒体アクセス要求を検出するステップ（７１０）と、
前記データ・ライン（４３０）をモニタリングして、前記媒体アクセス要求期間中に発生された媒体アクセス要求を検出するステップと、
選択される構成要素と関連した媒体アクセス要求期間中に少なくとも１つの許可信号を選択的に発行するステップと
を備えることを特徴とする媒体アクセス制御方法（７００）。
【請求項４２】
前記媒体アクセス要求期間が、媒体アクセス要求期間の連続のシーケンスを形成する請求項４１記載の媒体アクセス制御方法（７００）。
【請求項４３】
前記媒体アクセス許可期間が、媒体アクセス許可期間の連続のシーケンスを形成する請求項４１又は４２記載の媒体アクセス制御方法（７００）。
【請求項４４】
媒体アクセス制御能力を有する装置（４００）であって、データ・ラインに結合された媒体アクセス制御器（４３０）及び複数の構成要素（４２０）を備え、前記媒体アクセス制御器が、どの構成要素がデータ・ライン（４３０）へのアクセスを獲得することになるかを決定するよう適合されている、前記装置（４００）において、
前記媒体アクセス制御器が更に、
媒体アクセス要求期間を前記複数の構成要素（４２０）に割り当て、
媒体アクセス許可期間を前記複数の構成要素（４２０）に割り当て、
前記複数の構成要素（４２０）のうちの１つにより発生された少なくとも１つの初期媒体アクセス要求を検出し、
前記データ・ライン（４３０）をモニタリングして、前記媒体アクセス許可期間中に発生された媒体アクセス要求を検出し、及び
少なくとも１つの許可信号を、選択された構成要素と関連した媒体アクセス許可期間中に選択的に出す
よう適合されていることを特徴とする装置（４００）。
【請求項４５】
前記媒体アクセス要求期間が、媒体アクセス要求期間の連続のシーケンスを形成する請求項４４記載の装置（４００）。
【請求項４６】
前記媒体アクセス許可期間が、媒体アクセス許可期間の連続のシーケンスを形成する請求項４４又は４５記載の装置（４００）。
【請求項４７】
その中に１組の命令を格納したコンピュータ可読媒体（８００）であって、前記１組の命令は、媒体アクセス制御器（４１０）により実行されるとき、前記媒体アクセス制御器（４１０）にどの構成要素がデータ・ライン（４３０）へのアクセスを獲得することになるかを決定させる、前記コンピュータ可読媒体（８００）において、
前記媒体アクセス制御器（４１０）に、
媒体アクセス要求期間を前記複数の構成要素（４２０）に割り当てさせ、
媒体アクセス許可期間を前記複数の構成要素（４２０）に割り当てさせ、
前記複数の構成要素（４２０）のうちの少なくとも１つにより発生された少なくとも１つの初期媒体アクセス要求を検出させ、
前記データ・ライン（４３０）をモニタリングして、前記媒体アクセス要求期間中に発生された媒体アクセス要求を検出させ、及び
少なくとも１つの許可信号を、選択された構成要素と関連した媒体アクセス許可期間中に選択的に出させる
ことを特徴とするコンピュータ可読媒体（８００）。
【発明の詳細な説明】
【技術分野】
【０００１】
本発明は、媒体アクセス制御装置及び方法に関し、特に、シリアル・データ・ラインへのアクセスを制御する効率的方法及び装置に関する。
【背景技術】
【０００２】
集積回路の複雑さは、過去１０年間に著しく増大した。システム・オン・チップ及び他のマルチコア集積回路は、マルチメディア応用、リアルタイム応用等のような、しかしこれらに限定されない様々な応用をサポートするため開発されてきた。
【０００３】
様々なプロトコル及びバスが、情報を半導体部品間で交換するため開発された。それらは、例えば、Ｉ２Ｃシリアル通信プロトコル、シリアル周辺インターフェース（ＳＰＩ）シリアル通信プロトコル、及びＰｏｗｅｒＷｉｓｅ（パワーワイズ）（登録商標）シリアル通信プロトコルを含む。
【０００４】
以下の特許及び特許出願は、本明細書に援用されているが、情報を交換する様々な装置及び方法の簡単な概要を与える。以下の特許及び特許出願とは、発明の名称が「シリアル・インターフェースのための調停スキーム（Ａｒｂｉｔｒａｔｉｏｎ  ｓｃｈｅｍｅ  ｆｏｒ  ａ  ｓｅｒｉａｌ  ｉｎｔｅｒｆａｃｅ）」であるＲｏｓｓの米国特許Ｎｏ．６４８３４７、発明の名称が「単線シリアル通信プロトコル方法及び回路（Ｏｎｅ  ｗｉｒｅ  ｓｅｒｉａｌ  ｃｏｍｍｕｎｉｃａｔｉｏｎ  ｐｒｏｔｏｃｏｌ  ｍｅｔｈｏｄ  ａｎｄ  ｃｉｒｃｕｉｔ）」であるＬｉｎの米国特許出願公開Ｎｏ．２００４００４９６１９、発明の名称が「フレキシブル・ポート構成及び方法（Ｆｌｅｘｉｂｌｅ  ｐｏｒｔ  ｃｏｎｆｉｇｕｒａｔｉｏｎ  ａｎｄ  ｍｅｔｈｏｄ）」であるＫｏｔｌｏｗ他の米国特許出願公開Ｎｏ．２００４００４９６１１、発明の名称が「シリアル周辺装置用通信プロトコル（Ｃｏｍｍｕｎｉｃａｔｉｏｎ  ｐｒｏｔｏｃｏｌ  ｆｏｒ  ｓｅｒｉａｌ  ｐｅｒｉｐｈｅｒａｌ  ｄｅｖｉｃｅｓ）」であるＫａｔｓｃｈの米国特許出願公開Ｎｏ．２０００４０１４８４４６及び米国特許Ｎｏ．６６９７８８４、及び発明の名称が「パラレル及びシリアル機能モード及び選択可能な通信プロトコルを有する不揮発性メモリ装置（Ｎｏｎｖｏｌａｔｉｌｅ  ｍｅｍｏｒｙ  ｄｅｖｉｃｅ  ｗｉｔｈ  ｐａｒａｌｌｅｌ  ａｎｄｓｅｒｉａｌ  ｆｕｎｃｔｉｏｎｉｎｇ  ｍｏｄｅ  ａｎｄ  ｓｅｌｅｃｔａｂｌｅ  ｃｏｍｕｎｉｃａｔｉｏｎ  ｐｒｏｔｏｃｏｌ）」であるＰｅｒｒｏｎｉ他の米国特許出願公開Ｎｏ．２００３００９０９３９である。
【０００５】
多くの電力管理スキームが、最近の集積回路の電力消費を低減するため開発されつつある。これらは、例えば、クロック周波数低減、動的電圧スケーリング（ＤＶＳ）、動的本体バイアス化、動的スレッショルド・スケーリング、適ボディ・バイアス化等々を含む。
【０００６】
以下の特許及び特許出願は、全て本明細書に援用されているが、様々な電力管理スキームの簡単な概要を与える。以下の特許及び特許出願は、発明の名称が「電流制御を用いるデジタル電圧（Ｄｉｇｉｔａｌ  ｖｏｌｔａｇｅ  ｕｓｉｎｇ  ｃｕｒｒｅｎｔ  ｃｏｎｔｒｏｌ）」であるＢｕｒｓｔｅｉｎ他の米国特許出願Ｎｏ．２００４００５２０９８、発明の名称が「電力消費の低減のための最大事後推定プロセッサでのブロック処理（Ｂｌｏｃｋ  ｐｒｏｃｅｓｓｉｎｇ  ｉｎ  ａ  ｍａｘｉｍｕｍ  ａ  ｐｏｓｔｅｒｉｏｒｉ  ｐｒｏｃｅｓｓｏｒ  ｆｏｒ  ｒｅｄｕｃｅｄ  ｐｏｗｅｒ  ｃｏｓｕｍｐｔｉｏｎ）」であるＧａｂａｒａ他の米国特許出願Ｎｏ．２００３１３９９２７、発明の名称が「負荷近くにキャパシタンスを有するスイッチング・レギュレータ（Ｓｗｉｔｃｈｉｎｇ  ｒｅｇｕｌａｔｏｒ  ｗｉｔｈ  ｃａｐａｃｉｔａｎｃｅ  ｎｅａｒ  ｌｏａｄ）」である米国特許出願公開Ｎｏ．２００２００００７９７、発明の名称が「印加電力を調整及び同調させる方法（Ｍｅｔｈｏｄｏｌｏｇｙ  ｆｏｒ  ｃｏｏｒｄｉｎａｔｉｎｇ  ａｎｄ  ｔｕｎｉｎｇ  ａｐｐｌｉｃａｔｉｏｎ  ｐｏｗｅｒ）」であるＧａｒｙ他の米国特許出願Ｎｏ．２００４００２５０６８、及び発明の名称が「電流制御を用いるデジタル電圧レギュレータ（Ｄｉｇｉｔａｌ  ｖｏｌｔａｇｅ  ｒｅｇｕｌａｔｏｒ  ｕｓｉｎｇ  ｃｕｒｒｅｎｔ  ｃｏｎｔｒｏｌ）」であるＢｕｒｓｔｅｉｎ他の米国特許出願Ｎｏ．２００１００３８２７７である。
【発明の開示】
【発明が解決しようとする課題】
【０００７】
共用バスへの複数の構成要素のアクセスを電力に関して効率的要領で管理する必要性が存在する。
【課題を解決するための手段】
【０００８】
添付の特許請求の範囲に記載された媒体アクセス制御装置及び方法が提供される。
【０００９】
本発明は、図面と関係した以下の詳細な説明からより十分に理解され、認められるであろう。
【発明を実施するための最良の形態】
【００１０】
以下の図面は、本発明の例示的実施形態を示す。それらは、本発明の範囲を制限することを意図するものではなく、本発明の幾らかの実施形態を理解することを助けることを意図したものである。更に、全ての図面は尺度通りでないことに留意されたい。
【００１１】
図１は、本発明の一実施形態従った装置４００′を示す。装置４００′は、１又はそれより多い集積回路を含むが、しかしまた、キーパッド、ディスプレイ、マイクロフォン、及び類似のもののようなしかしこれらに限定されない追加の構成要素を含むことができる。装置４００′は、セルラ電話器、携帯情報端末（ＰＤＡ）、ラップトップ・コンピュータ、パーム・コンピュータ、ゲーム・コンソール、及び類似のもののような携帯型装置であることができる。装置４００′はまた、デスクトップ・コンピュータ、ワーク・ステーション、サーバ、及び類似のもののような非携帯型装置であることができる。
【００１２】
装置４００′は、第１の構成要素４２１及び媒体アクセス制御器４１０を含む。媒体アクセス制御器４１０は、データ・ライン４３０及びクロック・ライン４４０により第１の構成要素４２１に接続されている。媒体アクセス制御器４１０は、クロック信号をクロック・ライン４４０に或る一定の期間中に与えることが都合よい。媒体アクセス制御器４１０は、クロック信号をクロック・ライン４４０に他の期間中には与えない。
【００１３】
媒体アクセス制御器４１０は、情報をデータ・ライン４３０を介して送信及び受信することができる。
【００１４】
媒体アクセス制御器４１０は、データ・ライン４３０を介してデータを受信している間でさえ高周波数クロック信号をクロック・ライン４４０を介して与えることが都合よい。媒体アクセス制御器４１０は、高周波数クロック信号をクロック・ライン４４０を介して与えながら、データ転送スレーブとして動作することができることが都合よい。従って、媒体アクセス制御器４１０が或る一定の構成要素へのアクセスを許可した場合、媒体アクセス制御器４１０は、当該媒体アクセス制御器４１０がデータの宛先であるときでさえ、当該或る一定の構成要素によるデータの送信中にクロック信号を与える。
【００１５】
媒体アクセス制御器４１０及び第１の構成要素４２１は、図３から図５に更に示されるインターフェース４６０′、４７０、４６５及び４７５のような様々なインターフェースを有する。
【００１６】
図２は、本発明の別の実施形態に従った装置４００を示す。装置４００は、複数の構成要素４２２−４２７を含むことにより装置４００′とは相違する。説明の便宜のため、図２は、媒体アクセス制御器４１０に加えて７つの構成要素（集約的に参照番号４２０を付す。）を示す。
【００１７】
各構成要素は、２つのインターフェースを有するが、しかし説明の便宜のため、第２の構成要素４２２のインターフェースのみが、示されている。図３から図５は、これらのインターフェース更に詳細に示す。
【００１８】
これらの構成要素の一部がマスタとして動作する一方、他の構成要素がスレーブとして動作することが都合よい。典型的には、スレーブの数は、マスタの数と等しいが、しかしこれは、必ずしもそうである必要はない。媒体アクセス制御器４１０は、マスタとみなすことができるが、しかしこれは、必ずしもそうである必要はない。
【００１９】
これらの構成要素の一部は、単一の集積回路内に含まれることができるが、しかしこれは、必ずしもそうである必要はないことに注目されたい。
【００２０】
構成要素４２０のうちの少なくとも１つの構成要素が、電力管理装置であることが都合よい。
【００２１】
マスタは、コマンド（命令）並びにデータをスレーブに送ることができ、一方スレーブは、データをそのマスタに送ることができることが都合よい。構成要素はまた、割り込み要求をデータ・バスを介して送ることができる。
【００２２】
本発明の一実施形態に従って、装置４００は、２つの電力管理集積回路、１つのグラフィック処理ユニット、及び１つのベースバンド集積回路のような複数の構成要素を含む。ベースバンド集積回路は、媒体アクセス制御器４１０及びアプリケーション・プロセッサを含む。第１の電力管理制御器が、ベースバンド集積回路のスレーブであり、一方第２の電力管理集積回路が、グラフィック処理ユニットのスレーブであることが都合よい。
【００２３】
構成要素４２０及び媒体アクセス制御器４１０は、単一のデータ・ライン４３０により及び単一のクロック・ライン４４０により互いに接続されている。
【００２４】
データ・ライン４３０を介したデータ転送と関連した電力消費は、クロック・ライン４４０を介して与えられたクロック信号のクロック周波数に敏感である。
【００２５】
典型的には、各構成要素、並びに媒体アクセス制御器４１０は、クロック・ライン４４０を介して与えられるクロック信号により供給される或る一定の部分（図３から図５に示されたインターフェースのようなもの）を含む。その部分の電力消費は、低周波数クロック信号をクロック・ラインを介して与えることにより、又はクロック信号をクロック・ライン４４０を介して与えないことにより低減されることができる。クロック信号を選択的に与えることはまた、クロック・ゲーティングとして知られている。
【００２６】
本発明の一実施形態に従って、構成要素４２０の他の部分は、クロック・ライン４４０を介して与えられるクロック信号に拘わらず、又はそのクロック信号に応答して、様々な電力モードで動作することができる。各構成要素がクロック信号を２つ又はそれより多い源（ソース）から受信し、その１つはクロック・ライン４４０であることが都合よい。
【００２７】
媒体アクセス制御器４１０は、それがクロック信号をクロック・ライン４４０を介して与えないとき低電力モードで動作することができる。例えば、それは、複数の構成要素４２０のうちの１又はそれより多い構成要素が情報をデータ・バス４３０を介して送信することを要求するかどうかを決定するため、データ・ライン４３０をモニタリングすることができる。媒体アクセス制御器４１０はまた、送信シーケンス中にそれ（媒体アクセス制御器４１０）が情報を構成要素４２０のうちの１つ又はそれより多い構成要素に送信する当該送信シーケンスを開始することを決定することができる。
【００２８】
媒体アクセス制御器４１０は、メモリ・ユニットのようなコンピュータ可読媒体８００内に少なくとも部分的に格納されている１組の命令にアクセスすることができることが都合よい。メモリ・ユニットは、内部メモリ・ユニット、外部メモリ・ユニット、キャッシュ・メモリであってよい。
【００２９】
本発明の一実施形態に従って、構成要素４２０はまた、クロック信号発生器として動作する。図３は、媒体アクセス制御器４１０内に含まれるクロック信号発生器４１５を示す。これは、必ずしもそうである必要はなく、媒体アクセス制御器４１０が、クロック信号を選択的に与える別の構成要素（例えば、遠隔クロック信号発生器のようなもの）を制御することができることに注目されたい。
【００３０】
媒体アクセス制御器４１０は、クロック信号を別の源から受信し、そしてこのクロック信号をクロック・ライン４４０に選択的に与えることができる。そのような構成が、図５に示されている。
【００３１】
媒体アクセス制御器４１０は、（ｉ）少なくとも１つのクロック・ラインを低電力モードに維持しながら、データ・ライン４３０をモニタリングし、（ｉｉ）複数の構成要素４２０のうちの少なくとも１つの構成要素により発生された少なくとも１つの媒体アクセス要求を検出し、（ｉｉｉ）少なくとも１つの検出された媒体アクセス要求に応答して、又は情報を媒体アクセス制御器４１０自体により送信することを決定したことに応答して、低電力モードを出て、競合阻止期間を開始するよう上記少なくとも１つのクロック・ラインを強制するよう適合されていることが都合よい。
【００３２】
媒体アクセス制御器４１０が構成要素４２０の１つがデータ・ライン４３０にアクセスすべきであると決定した場合、それはまた、少なくとも１つの媒体アクセスの許可を発生する。
【００３３】
媒体アクセス制御器４１０、又は媒体アクセス制御器４１０により制御されるクロック信号プロバイダは、高周波数クロック信号をデータ・ラインを介して与えるよう適合され、そして更に、送信の完了前に送信される情報に応答して、クロック・レートを実質的に低減するときを決定するよう適合されていることが都合よい。そのクロック・レートの低減は、クロック信号を与えないことを含むことができる。
【００３４】
説明の便宜のため、装置４００及び４００′のそれぞれは、装置４００と呼ぶ。当業者は、各装置内の異なる数の構成要素に起因して、通信プロトコルが異なることができる（例えば、媒体アクセス要求及び許可期間の数が変わることができる。）。方法１０、１００及び３００のそれぞれが、装置４００及び４００′のいずれかの１つにより実行されることが都合よい。
【００３５】
装置４００は、フレーム同期化能力を有することが都合よい。装置４００は、クロック信号プロバイダ４１５、及び集約的に参照番号４２０で示される複数の構成要素４２１−４２７を含む。複数の構成要素４２０は、データ・ライン４３０に接続されている。クロック信号プロバイダ４１５は、情報をデータ・ラインを介して送信している間に高周波数クロック信号をクロック・ライン４４０を介して与えるよう適合されている。複数の構成要素４２０のうちの少なくとも１つの構成要素は、データ・ラインを介して搬送された少なくとも１つの信号を短い同期化期間中に処理して、同期化エラーの存在を決定するよう適合されている。その上、装置４００は、データ・ラインが実質的にアイドル状態にあるとき、少なくとも１つのクロック・ラインを低電力モードに維持するよう適合されている。
【００３６】
媒体アクセス制御器４１０は、高周波数クロック信号をクロック・ラインを介して選択的に与え、且つデータ・ラインへのアクセスを選択的に許可するよう適合されていることが都合よい。構成要素４２０のうちの少なくとも１つの構成要素は、受信された短い同期化シーケンスに応答して、フレーム同期化を短い同期化期間中に実行するよう適合されている。
【００３７】
情報は、単一のクロック・ライン４４０を介して、非常に低い周波数と、数ＭＨｚそして更には１０ＭＨｚの高周波数との間の範囲にあることができる送信レートで送信されることが都合よい。
【００３８】
図３は、本発明の一実施形態に従ったデータ・ライン・インターフェース４６０及び４６５を示す。
【００３９】
データ・ライン・インターフェース４６０及び４６５は、データ・ライン４３０に接続されている。それらは、両方とも、データ・ライン・インターフェース４６０がマスタ構成要素に属し、一方データ・ライン・インターフェース４６５がスレーブ構成要素に属するにも拘わらず、双方向である。
【００４０】
データ・ライン・インターフェース４６０は、入力バッファ４６２及び出力バッファ４６４を含む。出力バッファ４６４は、データ（「データイン（Ｄａｔａ−ｉｎ）」）をマスタ構成要素の別の部分から受信し、そしてデータ（「データアウト（Ｄａｔａ−ｏｕｔ）」）をデータ・ライン４３０に与えることができる。出力バッファ４６４は、トライステート信号（３状態信号）及び読み出し／書き込み信号により制御される。トライステート信号は、高インピーダンス状態に入るよう出力バッファ４６４を強制することができる。入力バッファ４６２の入力はまた、データ・ライン４３０に接続されている。読み出し／書き込み制御信号は、入力バッファ４６２又は出力バッファ４６４のいずれかを活動状態にする。
【００４１】
出力バッファ４６４の出力及び入力バッファ４６２の入力は、構成要素の出力ノードを定義する。
【００４２】
データ・ライン・インターフェース４６５は、入力バッファ４６６及び出力バッファ４６８を含む。出力バッファ４６８は、データ（「データイン（Ｄａｔａ−ｉｎ）」）をスレーブ構成要素の別の部分から受信し、そしてデータ（「データアウト（Ｄａｔａ−ｏｕｔ）」）をデータ・ライン４３０に与えることができる。それは、トライステート信号及び読み出し／書き込み信号により制御される。トライステート信号は、高インピーダンス状態に入るよう出力バッファ４６８を強制することができる。入力バッファ４６６の入力はまた、データ・ライン４３０に接続されている。読み出し／書き込み制御信号は、入力バッファ４６６又は出力バッファ４６８のいずれかを活動状態にする。
【００４３】
図４は、本発明の一実施形態に従った媒体アクセス制御器４１０のデータ・ライン・インターフェース４６０′を示す。
【００４４】
データ・ライン・インターフェース４６０′は、媒体アクセス制御器４１０の出力ノードに接続されるプルダウン抵抗４６１を有することによりデータ・ライン・インターフェース４６０とは異なる。プルダウン抵抗４６１は、媒体アクセス制御器４１０内に含まれることができるが、しかしこれは、必ずしもそうである必要はない。
【００４５】
本発明の他の実施形態に従って、複数の構成要素４２０のうちの少なくとも１つの他の構成要素がまた、プルダウン抵抗に接続される（又はそれを含む）。
【００４６】
本発明の更に別の実施形態に従って、複数の構成要素４２０のうちの少なくとも１つの他の構成要素及び／又は媒体アクセス制御器４１０は、プルダウン抵抗４６１の代わりに、プルアップ回路に接続される。この場合、構成要素は、それがデータ・ラインを介して送信することを要求することを指示するため低レベル信号を与える。
【００４７】
図５は、本発明の一実施形態に従ったクロック・ライン・インターフェース４７０及び４７５を示す。
【００４８】
クロック・ライン・インターフェース４７０は、媒体アクセス制御器４１０に属し、そして図３に示されるように、出力バッファ４７４、又は入力バッファ４７２及び出力バッファ４７４の組み合わせを含むことができる。入力バッファ４７２は、クロック信号（「クロックイン（Ｃｌｏｃｋ−ｉｎ）」）を受信するために、クロック・ライン４４０を介さずに、クロック信号発生器４１５に接続されているのが都合よい。媒体アクセス制御器４１０は、その信号をクロック・ライン４４０に選択的に与える。出力バッファ４７４は、クロックイン信号から導出されることができるクロックアウト（Ｃｌｏｃｋ−ｏｕｔ）信号を受信する。
【００４９】
他の構成要素は、入力バッファ４７６のみを含むインターフェース４７５を有することが都合よい。
【００５０】
図６は、本発明の一実施形態に従った情報フレーム５００を示す。
【００５１】
ひとたび情報フレーム５００の送信が終了すると、媒体アクセス制御器４１０は、クロック信号をクロック・ライン４４０を介して与えることを停止し、従って、低電力モードに入るようクロック・ライン、及びそのクロック・ラインによりクロックされる回路を強制することが都合よい。
【００５２】
情報フレーム５００は、多くの部分を含む。説明の便宜のため、以下の説明は、長さ（クロック・サイクル、ビット数）を各部分に関連付ける。これらの長さは、非限定的である。
【００５３】
情報フレーム５００は、競合阻止ビット５０２により開始し、その競合阻止ビット５０２中に、媒体アクセス制御器４１０は、高インピーダンス状態に入る。
【００５４】
図４に記載された例を参照すると、媒体アクセス制御器４１０の出力バッファ４６４は、プルダウン抵抗４６１は、プルダウン経路をデータ・ライン４３０に与える間、高インピーダンス状態に入る。
【００５５】
複数の構成要素４２０のうちの１つの構成要素がデータ・ライン４３０をアサートして、それがデータ・ライン４３０にアクセスすることを要求することを指示する場合、媒体アクセス制御器４１０は、相変わらずその要求を検知することができる。従って、競合阻止ビット５０２は、媒体アクセス制御器４１０、及び複数の構成要素４２０のうちの１つの構成要素により同時の送信を阻止する。
【００５６】
従って、競合阻止ビットにより定義される競合阻止期間中に、データ・ラインは、（データ・ライン４３０がプルダウン抵抗４６１により首尾良くプルダウンされる場合）低い値（「０」）信号を搬送し、そして（複数の構成要素４２０のうちの１つの構成要素がそれがデータ・ライン４３０にアクセスすることを要求することを指示する場合）高い値（「１」）信号を搬送することができる。
【００５７】
プルダウン抵抗４６１がデータ・ライン４３０をプルダウンし、一方複数の構成要素４２０のうちの１つの構成要素が初期アクセス要求信号をアサートする場合、データ・ラインは、十分には定義されない状態に入ることができる。通常、そのような非定義の状態は、プルダウン抵抗の値、及び初期アクセス要求信号の電流の値を注意深く選択することにより排除されることができる。
【００５８】
競合阻止期間の長さは、媒体アクセス制御器４１０が情報をデータ・ライン４３０を介して送信することを開始する前に、媒体アクセス制御器４１０が媒体アクセス要求を受信することを可能にする程十分に長いことが都合よい。
【００５９】
要求は、クロック信号をクロック・ライン４４０を介して与えられるということを遅く知ることを含む様々な理由のため、１つの構成要素により、この競合阻止期間中に受信されることができる。
【００６０】
信号をデータ・ライン４３０を介してアサートすることにより初期媒体アクセス要求を発行した１つの構成要素は、ひとたびそれが媒体アクセス制御器４１０がクロック信号をクロック・ライン４４０を介して与えることを開始することを検知すると、信号をデータ・ライン４３０を介してニゲートすることが都合よい。この構成要素は、その構成要素に割り当てられた媒体アクセス要求期間中に追加の要求信号を与える。初期及び追加の要求の両方はまた媒体アクセス要求と呼ばれることに注目されたい。
【００６１】
競合阻止ビット５０２には、２つの同期化ビット５０４及び５０６が続く。同期化ビット５０４の値は、同期化ビット５０６の値と異なる。
【００６２】
構成要素４２１−４２７は、同期化するためクロック・サイクルを計数することが都合よい。同期化エラーは、ミスした（見失った）クロック・サイクル、又は計数ベースの同期化スキームと関連した他のエラーの結果として生じることができる。
【００６３】
競合阻止ビット５０２の値が予め知られていないので、異なる値の２つの同期化ビットを要求する。構成要素４２０は、２つの同期化ビット５０４と５０６との間の変化を検出するためデータ・ライン４３０をモニタリングする。
【００６４】
同期化ビット５０６には、媒体アクセス要求ビット５１０−５１６が続く。各ビットは、単一の構成要素と関連付けられる。構成要素４２０は、媒体アクセス要求をデータ・ラインを介して、事前定義された媒体アクセス要求期間中に送信するよう構成される。媒体アクセス・ビットは、複数の構成要素の送信優先順位に応答して順序付けられることが都合よいが、しかしこれは、必ずしもそうである必要はない。
【００６５】
複数の構成要素４２０がデータ・ラインにアクセスすることができるＫ個の構成要素を含む場合、Ｋ個の媒体アクセス・ビットが要求されることが都合よい。Ｋは、正の整数である。Ｋは、図１に示される構成では１に等しい。Ｋは、図２に示される構成では７に等しい。
【００６６】
図１に示されるような構成において、媒体アクセス制御器４１０は、第１の構成要素４２１がバスにアクセスするのを可能にするためバスにアクセスすべきかどうかを決定することに更に注目されたい。
【００６７】
その間に各構成要素が媒体アクセス要求信号を送ることができる媒体アクセス期間が１ビットより長くすることができることに注目されたい。媒体アクセス期間の長さは、通常、データ・ライン４３０を介した上記の要求の伝搬期間に応じる。
【００６８】
媒体アクセス要求ビット５１０−５１６には、媒体アクセス制御決定期間が続き、その媒体アクセス制御決定期間中に、媒体アクセス制御器４１０は、誰がデータ・ライン４３０にアクセスすることができるかを決定する。この媒体アクセス制御決定期間は、決定ビット５１８により表される。
【００６９】
媒体アクセス制御器４１０の出力バッファ４６４は、高インピーダンス状態にその媒体アクセス制御決定期間中に入ることが都合よい。
【００７０】
媒体アクセス制御器４１０は、様々な従来技術の媒体アクセス制御スキームを用いることができる。割り当ては、複数の構成要素に割り当てられる固定の優先順位、公平さベースのスキーム、及び類似のものに基づかれることができる。ラウンド・ロビン調停スキームの様々なバージョンを用いることができる。媒体アクセス制御決定期間は、１クロック・サイクルのように短いことが都合よい。
【００７１】
媒体アクセス制御器４１０は、媒体アクセス制御決定を単一の情報フレーム・ベースで実行するように説明されているが、しかしこれは必ずしもそうである必要はないことに注目されたい。本発明の別の実施形態に従って、媒体アクセス方法及び装置は、複数の送信セッション中にデータ・ライン４３０への１又はそれより多い構成要素のアクセスを決定するため、媒体アクセス制御シーケンスを実行することができる。
【００７２】
構成要素がそれらの媒体アクセス要求期間及び媒体アクセス許可期間、並びに情報をデータ・ライン４３０を介して送信することを許されるタイミングを知っているよう構成されることが都合よい。構成要素は、それが送信を開始することができるまで（関連した媒体アクセス許可期間の順序に依存する）或る一定の期間待たなければならないことを知ることが必要である。本発明の別の実施形態に従って、１つの構成要素は、ヘッダ終端シーケンスを検索し、そしてちょうどそこで送信することを開始することができる。ゼロ・ビット、及び次いで高レベル・ビットのシーケンスが続く少なくとも１つの高レベル・ビットを含むビットのシーケンスは、特に媒体アクセス制御許可ビット中に唯１つのビットが高である一方、他のビットが低である場合用いられることができる。
【００７３】
決定ビット５１８には、媒体アクセス制御許可ビット５２０−５２６が続く。媒体アクセス制御器４１０は、複数の構成要素４２０のうちの或る一定の構成要素がデータ・ライン４３０にアクセスすべきであると決定した場合、それは、許可信号を対応の媒体アクセス許可期間中に与える。
【００７４】
媒体アクセス制御器４１０は、それ自身の使用のため、又はシステムの考慮のためデータ・ライン４３０へのアクセスを阻止することを決定することができ、そしてそれに応答して、許可信号をいずれの構成要素４２０へも送らない。
【００７５】
媒体アクセス制御許可ビット５２０−５１６には、ヘッダ終端ビット５２８が続く。
【００７６】
本発明の一実施形態に従って、情報フレーム終端ビット（又はシーケンス）が、ヘッダ終端ビット５２８に加えて、又はヘッダ終端ビット５２８の代わりに送信される。
【００７７】
ヘッダには、コマンド・ビット、アドレス・ビット、データ・ビットのうちの少なくとも１つが続く。上記のビットの順序、並びに各ビット・シーケンスの長さは、変わることができる。一部のビット・シーケンスは、１つの送信シーケンス中に送信されることができ、一方他のビット・シーケンスは、他の送信シーケンス中に送信されることができる。例えば、データ・ビットは、或る一定のコマンドが実行されているときのみ送信されることができる。
【００７８】
本発明の様々な実施形態に従って、一部のビット・シーケンスは、１つの構成要素により送信されることができ、一方他のビット・シーケンスは、別の構成要素により送信されることができる。例えば、送信シーケンス中に、マスタ構成要素は、データ・ライン４３０へのアクセスを獲得し、次いで読み出し（ＲＥＡＤ）コマンドをスレーブ構成要素に送信することができ、次いで、そのスレーブ構成要素は、要求されたデータをマスタ構成要素に送る。これは、媒体アクセス制御器４１０がスレーブ構成要素へのアクセスを許可しなかった場合ですら生じることができる。
【００７９】
ヘッダ終端ビット５２８には、コマンド・タイプ・ビット５３０及び５３２、宛先アドレス・ビット５５０−５５６、追加のコマンド・ビット５３４−５４０及びデータ・ビット５６０−５６６が続くことを仮定する。
【００８０】
表１は、本発明の一実施形態に従った例示的コマンドを示す。複数の電力モードを含む多くの電力管理スキームが前述した装置及び情報フレームを用いることにより適用されることができることに注目されたい。例えば、電力モードの数は、２を超えることができ、電力管理は、温度及び類似のもののような様々なパラメータに応じることができる。
【００８１】
モード（ＭＯＤＥ）コマンドを含む様々なコマンドをユーザで定義することができることに注目されたい。モード・コマンドは、事前定義された命令の実行を開始し、及び／又は事前定義された値の検索を開始することが都合よい。単一のモード・コマンドは、さもなければ様々な構成要素間での多くの命令の交換を要求するセッティングと関連付けられることが都合よい。
【００８２】
表１の列「ＡＤ」は、コマンドを送る構成要素がまたデータを送るかどうか示す。なお、表１において、Ｙは送ることを、Ｎは送らないことを示す。
【００８３】
表１の列「ＤＴ」は、コマンドを送る構成要素がまた宛先の構成要素のアドレスを送るかどうかを指示する。なお、表１において、Ｙは送ることを、Ｎは送らないことを示す。
【００８４】
供給電圧／クロック周波数の増大／低減コマンド中に、データ（Ｙ＊で表す）は、更新されなければならないレジスタのアドレスを含むことができる。更新するデータが、そのコマンドに続く。
【００８５】
コマンドの一部には、そのコマンドを完了したかどうか、類似のことを指示する応答（データ・ライン４３０を介して搬送される。）が続く。
【００８６】
【表１】
2008542932.tif 000003
【００８７】
図７及び図８及び表２は、本発明の一実施形態に従ったデータ識別コマンド（Ｉｄｅｎｔｉｆｙ  ｄａｔａ  ｃｏｍｍａｎｄ）の例示的実行セッションを示す。第２の構成要素４２２は、第３の構成要素４２３の識別情報（ＩＤ３）を受信するためデータ・ライン４３０にアクセスすることを要求する。第２の構成要素４２２は、初期媒体アクセス要求を競合阻止期間中に送る。第５の構成要素４２５がまたデータ・ライン４３０にアクセスすることを要求するが、しかしそれは、第２の構成要素４２２より低い優先順位を有することを更に仮定する。第５の構成要素４２５は、媒体アクセス制御器４１０によりクロック・サイクルを与えることを開始する初期媒体アクセス要求を送る。
【００８８】
【表２】
2008542932.tif 000004
【００８９】
図９、図１０及び図１１に示されるフロー・チャートを参照すると、以下の段階の一部は、任意であり、そして他の段階は、本発明の趣旨から逸脱することなしに、この方法に加えられることができることに注目されたい。説明の便宜のため、様々な段階が、前の図面に示される例に鑑みて示されている。これらの説明は、示された方法の範囲を限定することを意図するものではない。
【００９０】
図９は、本発明の一実施形態に従った媒体アクセス制御のための方法１００のフロー・チャートである。
【００９１】
本発明の一実施形態に従って、複数の構成要素は、媒体アクセス制御器４１０に加えて、データ・ライン４３０及びクロック・ライン４４０に接続される。説明の便宜のため、以下の説明は、複数の構成要素の構成に言及する。
【００９２】
方法１００は、媒体アクセス優先順位を、データ・ラインに接続される少なくとも１つの構成要素と関連付ける段階１１０により開始する。これらの関連付けは、予め、実行されることができ、固定されることができ、及び／又は動的に変化されることができる。
【００９３】
段階１１０には、媒体アクセス要求期間を、データ・ラインに接続される少なくとも１つの構成要素に割り当てる段階１２０が続く。その割り当ては、媒体アクセス制御器４１０がどの構成要素が媒体アクセス要求を発行したかを決定することを可能にする。
【００９４】
段階１２０には、媒体アクセス許可期間を、データ・ラインに接続される構成要素に割り当てる段階１２５が続く。
【００９５】
段階１２５には、媒体アクセス制御器４１０の動作中に繰り返す段階のシーケンスが続く。
【００９６】
そのシーケンスは、少なくとも１つのクロック・ラインを低電力モードに維持しながら、データ・ライン４３０をモニタリングして、当該データ・ライン及びクロック・ラインに接続される少なくとも１つの構成要素により発生された少なくとも１つの初期媒体アクセス要求を検出する段階１３０により開始する。クロック信号は、クロック・ライン４４０を介して段階１３０中に与えられないことが都合よい。構成要素は、媒体アクセス制御器４１０以外の、データ・ラインに接続される複数の構成要素のうちの１つであることが都合よい。
【００９７】
段階１３０には、低電力モードを出るよう少なくとも１つのクロック・ラインを強制し、そして少なくとも１つの検出された媒体アクセス要求に応答して、又は媒体アクセス制御器４１０の決定に応答して、競合阻止期間を開始して、情報をデータ・ラインを介して送信する段階１４０が続く。
【００９８】
媒体アクセス制御器４１０、又はその媒体アクセス制御器４１０により制御されるクロック信号プロバイダ４１５は、クロック信号を段階１４０−２１０中に与えることが都合よい。
【００９９】
媒体アクセス制御器４１０は、情報を競合阻止期間中に送信しないことが都合よい。本発明の一実施形態に従って、媒体アクセス制御器４１０の出力バッファ４６４は、プルダウン抵抗４６１が接地へのプルダウン経路を与える間、高インピーダンス状態に入る。
【０１００】
競合阻止期間は、１クロック・サイクル長であることが都合よい。
【０１０１】
ひとたび競合阻止期間が終了すると、本方法は、段階１６０により示されるように、同期化信号を送信することを含む同期化期間に入る。同期化信号は、第１の値の少なくとも１ビットを含み、当該第１の値の少なくとも１ビットには、別の値の少なくとも１ビットが続くことが都合よい。
【０１０２】
段階１６０には、媒体アクセス制御器４１０により少なくとも１つの媒体アクセス要求を媒体アクセス要求期間のシーケンス中に受信する段階１７０が続く。各媒体アクセス要求期間が、データ・ラインに接続される構成要素と関連付けられることが都合よい。媒体アクセス制御器４１０がデータを送信することを決定した場合、段階１７０及び１９０が、必ずしも実行されるとは限らないことに注目されたい。
【０１０３】
段階１７０には、どの構成要素（又は媒体アクセス制御器４１０自体）がデータ・ライン４３０へのアクセスを獲得するものになるかを決定する段階１８０が続く。その決定は、通常、少なくとも１つの媒体アクセス要求に応じる。
【０１０４】
段階１８０には、媒体アクセス制御器４１０により少なくとも１つの媒体アクセス許可を少なくとも１つの媒体アクセス許可期間中に送信する段階１９０が続く。各媒体アクセス許可期間は、データ・ラインに接続される構成要素と関連着けられることが都合よい。媒体アクセス制御器４１０がデータ・ライン４１０にアクセスすることを決定した場合、それは、いずれの媒体アクセス許可を与えない。様々な媒体アクセス許可スキームを用いることができることに注目されたい。例えば、媒体アクセス制御器４１０は、１又はそれより多い媒体アクセス許可期間中に、選択された装置の番号（識別情報）を表すコード化された数字を送信することができる。図２に示される例を参照すると、３ビット・コードを用いて、構成要素４２１−４２７のうちのいずれかの１つを識別する。
【０１０５】
段階１９０には、媒体アクセス許可に応答して、情報をデータ・ラインを介して送信する段階２００が続く。その情報は、データ、コマンド、アドレス、又はそれらの組み合わせを含むことができる。典型的には、データ・ビットの前に、コマンド・ビット及びアドレス・ビットがくる。
【０１０６】
送信される情報は、電力制御情報を含むことが都合よい。電力制御情報は、電力制御コマンド並びに電力制御データを含むことができる。コマンドは、例えば、供給される電力（及び／又は供給クロック・サイクル・レート）を増大する要求、電力消費を示す或る一定の値を読み出す要求、及び類似のものを含むことができる。これらの値は、構成要素の温度、構成要素４２０に供給される供給クロック周波数、構成要素４２０に供給される電圧、及び類似のものを表すことができる。
【０１０７】
供給クロック信号は、クロック・ライン４４０を介して供給されるクロック信号とは異なることが都合よい。供給クロック信号は、通常、クロック・ライン４４０を介したデータ交換に参加しない構成要素の部分をクロックする。
【０１０８】
段階２００には、終端フレーム・シーケンスを送信する段階２１０が続く。段階２１０には、段階１３０が続く。終端フレーム・シーケンスは、フレーム・ヘッダ終端シーケンスの代わりに、又は上記のフレーム・ヘッダ終端シーケンスに加えて送信されることができる。
【０１０９】
図１０は、本発明の一実施形態に従って信号をデータ・ラインを介して交換する方法３００のフロー・チャートである。
【０１１０】
方法３００は、複数の構成要素により共用されるデータ・ラインへのアクセスを許可する段階３１０により開始する。段階３１０は、データ・ラインをモニタリングして、クロック・レートを増大することに応答して、データ・ラインにアクセスする１又はそれより多い要求を検出することが都合よい。段階３１０は、方法１００の段階１１０−１９０のうちの１又はそれより多い段階を含むことができる。
【０１１１】
段階３１０には、段階３２０及び３００が続く。段階３２０は、情報をデータ・ラインを介して、第１のクロック・レートに応じた送信レートで送信することを含む。
【０１１２】
段階３３０は、この送信の完了前に、送信される情報に応答して、クロック・レートを実質的に低減するときを決定することを含む。
【０１１３】
段階３２０及び３３０には、クロック・ラインを介してクロック信号を与えることを停止する段階３４０が続く。段階３４０には、段階３１０が続く。
【０１１４】
図１１は、本発明の一実施形態に従った媒体アクセス制御のための方法１０のフロー・チャートである。
【０１１５】
方法１０は、短い同期化期間を定義する段階２０により開始する。短い同期化期間は、予期される最大同期化エラーに応じて定義されることが都合よい。本発明の一実施形態に従って、予期される最大同期化エラーは、Ｎ個のクロック・サイクルの長さであり、そして短い同期化期間は、（Ｎ＋１）個のクロック・サイクルを超えない。
【０１１６】
段階２０には、段階３０及び４０が続く。段階３０は、媒体アクセス制御器及び少なくとも１つの他の構成要素に接続されることが都合よいデータ・ラインを介して情報を送信する間に高周波数クロック信号をクロック・ラインを介して与えることを含む。段階３０には、段階７０が続く。高周波数は、１０ＭＨｚを超えることが都合よい。それは、２５ＭＨｚに達することができ、更にはそれより高くすることができる。
【０１１７】
段階４０は、データ・ラインを介して短い同期化期間中に搬送された少なくとも１つの信号を処理して、同期化エラーの存在を決定することを含む。少なくとも１つの信号は、同期化シーケンスを定義することができる。それは、そのシーケンスの少なくとも一部分が短い同期化期間中に送信されることができることに注目されたい。同期化シーケンスは、第１の値の少なくとも１ビットを含み、その少なくとも１ビットには、異なる値の少なくとも１ビットが続く。
【０１１８】
同期化エラーが検出される場合、段階４０には、検出された同期化エラーを訂正する段階５０が続く。段階５０には、情報をデータ・ラインを介して送信する、又は情報をデータ・ラインを介して受信する段階６０が続く。
【０１１９】
段階６０には、データ・ラインが実質的にアイドル状態であるとき少なくともクロック・ラインを低電力モードに維持する段階７０が続く。
【０１２０】
図１２は、本発明の一実施形態に従って信号をデータ・ラインを介して交換する方法６００のフロー・チャート６００である。
【０１２１】
方法６００は、媒体アクセス制御器４１０によりデータ・ライン４３０へのアクセスを許可する段階６１０が続き、そこにおいては、データ・ライン４３０は、複数の構成要素４２０により共用される。
【０１２２】
段階６１０には、段階６２０及び６３０が続く。段階６２０は、アクセス許可に応答して、情報をデータ・ラインを介して、クロック信号レートに応じた送信レートで送信することを含む。
【０１２３】
段階６３０は、媒体アクセス制御器４１０によりクロック信号をクロック・ライン４４０を介して与えることを含む。
【０１２４】
段階６１０は、データ・ライン４３０をモニタリングして、データ・ライン４３０にアクセスする要求を検出し、それに応答して、クロック信号レートを増大することを含むことが都合よい。
【０１２５】
図１３は、本発明の一実施形態に従った媒体アクセス制御のための方法７００のフロー・チャートである。
【０１２６】
方法７００を用いて、複数の構成要素４２０及び媒体アクセス制御器４１０により共用されるデータ・バス４３０へのアクセスを許可することができる。
【０１２７】
方法７００は、予備段階１２０及び１２５を含む。段階１２０は、媒体アクセス制御器４１０により媒体アクセス要求期間を複数の構成要素４２０に割り当てることを含む。段階１２５は、媒体アクセス制御器４１０により媒体アクセス許可期間を複数の構成要素４２０に割り当てることを含む。
【０１２８】
段階１２０及び１２５には、各媒体アクセス制御サイクルの間繰り返されることができる段階のシーケンスが続く。
【０１２９】
そのシーケンスは、複数の構成要素４２０のうちの少なくとも１つにより発生された少なくとも１つの初期媒体アクセス要求を媒体アクセス制御器４１０により検出する段階７１０により開始する。段階７１０は、段階１３０、及び更には段階１４０を含んでもよい。
【０１３０】
段階７１０には、媒体アクセス要求期間中に発生された媒体アクセス要求を検出するためデータ・ライン４３０をモニタリングする段階７２０が続く。
【０１３１】
段階７２０には、どの構成要素（又は媒体アクセス制御器４１０自身）がデータ・ライン４３０へのアクセスを獲得するものとなるかを決定する段階１８０が続く。この構成要素は、選択された構成要素と呼ばれる。
【０１３２】
段階１８０には、選択された構成要素と関連した媒体アクセス許可期間中に少なくとも１つの許可信号を選択的に発行する段階７３０が続く。許可信号は、段階１８０の決定に応答する。
【０１３３】
媒体アクセス要求期間は、媒体アクセス要求期間の連続のシーケンスを形成することが都合よい。
【０１３４】
媒体アクセス許可期間は、媒体アクセス許可期間の連続のシーケンスを形成することが都合よい。
【０１３５】
本発明の様々な実施形態に従って、前述の方法（１０，１００，３００，６００，７００）のそれぞれは、装置により、又は特にコンピュータ可読媒体８００内に格納された１組の命令を実行する媒体アクセス制御器により実行されることができる。この媒体は、必ずしも、図２に示されるような内部メモリ・ユニットである必要はない。この媒体は、磁気式記憶装置（例えば、磁気テープ、ディスケット、ディスク・ドライブのようなもの）、光学式記憶装置（例えば、ＤＶＤ（登録商標）、ＣＤ（登録商標））等のようなもの）、及び類似のものを含むことができる。媒体アクセス制御器４１０は、記憶装置、バス、及び類似のもののような他の構成要素と協働して本方法を実行することができる。
【０１３６】
その中に１組の命令を格納したコンピュータ可読媒体が、提供されることが都合よい。その１組の命令は、媒体アクセス制御器により実行されるとき、媒体アクセス制御器に、当該媒体アクセス制御器及び少なくとも１つの他の構成要素により共用されるデータ・ラインへのアクセスを許可させ、それにより構成要素が、情報をデータ・ラインを介して、第１のクロック・レートに応じた送信レートで送信する。
【０１３７】
１組の命令はまた、媒体アクセス制御器に、送信の完了前に、送信される情報に応答して、クロック・レートを実質的に低減するときを決定させる。
【０１３８】
その中に１組の命令を格納したコンピュータ可読媒体が、提供されることが都合よい。その１組の命令は、媒体アクセス制御器により実行されるとき、当該媒体アクセス制御器に、少なくとも１つの媒体アクセス要求に応答して少なくとも１つの媒体アクセス許可を発生させる。
【０１３９】
１組の命令はまた、媒体アクセス制御器に、クロック・ラインを低電力モードに維持しながらデータ・ラインをモニタリングして、データ・ライン及びクロック・ラインに接続される少なくとも１つの構成要素により発生された少なくとも１つのクロック・ラインを検出させ；そして低電力モードを出るよう少なくとも１つのクロック・ラインを強制させ、そして媒体アクセス制御器又は少なくとも１つの構成要素がデータ・ラインへのアクセスを要求するとき競合阻止期間を開始させる。
【０１４０】
その中に１組の命令を格納したコンピュータ可読媒体が、提供されることが都合よい。その１組の命令は、媒体アクセス制御器により実行されるとき、当該媒体アクセス制御器に、当該媒体アクセス制御器及び少なくとも１つの構成要素に結合されたデータ・ラインを介した情報の送信中に、高周波数クロック信号をクロック・ラインを介して与えさせる（又は制御させる）。
【０１４１】
１組の命令はまた、媒体アクセス制御器に、データ・ラインを介して短い同期化期間中に搬送された少なくとも１つの信号を処理して、同期化エラーの存在を決定させ、そしてデータ・ラインが実質的にアイドル状態であるとき少なくとも１つのクロック・ラインを低電力モードに維持させる。
【０１４２】
１組の命令は、媒体アクセス制御器４１０に、データ・ライン４３０へのアクセスを許可させ（そこにおいては、データ・ライン４３０は、複数の構成要素４２０により共用される。）、そして情報をデータ・ラインを介してクロック信号レートに応じる送信レートで送信する間にクロック信号をクロック・ライン４４０を介して与えさせることが都合よい。
【０１４３】
１組の命令は、媒体アクセス制御器に、どの構成要素がデータ・ラインへのアクセスを獲得するものとなるかを決定させ；媒体アクセス要求期間を複数の構成要素４２０に割り当てさせ；媒体アクセス許可期間を複数の構成要素４２０に割り当てさせ；複数の構成要素４２０のうちの少なくとも１つにより発生された少なくとも１つの初期媒体アクセス要求を検出させ；データ・ライン４３０をモニタリングして、媒体アクセス要求期間中に発生された媒体アクセス要求を検出させ；選択された構成要素とした媒体アクセス許可期間中に少なくとも１つの許可信号を選択的に発行させることが都合よい。
【０１４４】
本明細書で説明されたものの変形、変更及び他の実施形態が、特許請求の範囲に記載された趣旨及び範囲から逸脱することなしに当業者により行われるであろう。従って、本発明は、前述の例示的説明によってではなく、添付の特許請求の範囲の趣旨及び範囲により定義されるべきである。
【図面の簡単な説明】
【０１４５】
【図１】図１は、本発明の一実施形態に従った装置を示す。
【図２】図２は、本発明の別の実施形態に従った装置を示す。
【図３】図３は、本発明の一実施形態に従ったマスタ及びスレーブの構成要素のデータ・ライン・インターフェースを示す。
【図４】図４は、本発明の一実施形態に従った媒体アクセス制御器のデータ・ライン・インターフェースを示す。
【図５】図５は、本発明の一実施形態に従ったクロック・ライン・インターフェースを示す。
【図６】図６は、本発明の一実施形態に従った情報フレームを示す。
【図７】図７は、本発明の一実施形態に従ったデータ識別コマンドの例示的実行セッションを示す。
【図８】図８は、本発明の一実施形態に従ったデータ識別コマンドの例示的実行セッションを示す。
【図９】図９は、本発明の一実施形態に従った媒体アクセス制御方法を示す。
【図１０】図１０は、本発明の一実施形態に従って信号をデータ・ラインを介して交換する方法のフロー・チャートである。
【図１１】図１１は、本発明の一実施形態に従った媒体アクセス制御方法のフロー・チャートである。
【図１２】図１２は、本発明の一実施形態に従って信号をデータ・ラインを介して交換する方法のフロー・チャートである。
【図１３】図１３は、本発明の一実施形態に従った媒体アクセス制御方法のフロー・チャートである。
【図１】
2008542932.tif 000005
【図２】
2008542932.tif 000006
【図３】
2008542932.tif 000007
【図４】
2008542932.tif 000008
【図５】
2008542932.tif 000009
【図６】
2008542932.tif 000010
【図７】
2008542932.tif 000011
【図８】
2008542932.tif 000012
【図９】
2008542932.tif 000013
【図１０】
2008542932.tif 000014
【図１１】
2008542932.tif 000015
【図１２】
2008542932.tif 000016
【図１３】
2008542932.tif 000017
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
少なくとも１つの媒体アクセス要求に応答して少なくとも１つの媒体アクセス許可を発生するステップ（１８０）を備える媒体アクセス制御方法（１００）であって、
媒体アクセス制御器により、少なくとも１つのクロック・ライン（４４０）を低電力モードに維持しながら、データ・ラインをモニタリングして（１３０）、前記データ・ライン（４３０）及び前記クロック・ライン（４４０）に結合される少なくとも１つの構成要素により発生された少なくとも１つの媒体アクセス要求を検出するステップと、
前記低電力モードを出るよう前記少なくとも１つのクロック・ライン（４４０）を強制し（１４０）、且つ前記媒体アクセス制御器又は少なくとも１つの構成要素が前記データ・ライン（４３０）にアクセスすることを要求するとき競合阻止期間を開始するステップと
を備えることを特徴とする媒体アクセス制御方法（１００）。
【請求項２】
前記競合阻止期間を終了させるステップ（１５０）を更に備える請求項１記載の媒体アクセス制御方法（１００）。
【請求項３】
前記強制するステップ（１４０）が、クロック信号を与えるステップを備える請求項１又は２記載の媒体アクセス制御方法（１００）。
【請求項４】
前記モニタリングするステップ（１３０）が、前記クロック・ライン（４４０）を介したクロック信号の供給を阻止するステップを備える請求項１から３のいずれか一項に記載の媒体アクセス制御方法（１００）。
【請求項５】
前記媒体アクセス制御器が前記競合阻止期間中に送信することを阻止するステップ（１４５）を更に備える請求項１から４のいずれか一項に記載の媒体アクセス制御方法（１００）。
【請求項６】
前記阻止するステップ（１４５）が、前記媒体アクセス制御器により、高インピーダンス出力を前記データ・ライン（４３０）に与えるステップを備える請求項１から５のいずれか一項に記載の媒体アクセス制御方法（１００）。
【請求項７】
少なくとも１つのマスタ構成要素及び少なくとも１つのスレーブ構成要素が、前記データ・ライン（４３０）に結合される請求項１から６のいずれか一項に記載の媒体アクセス制御方法（１００）。
【請求項８】
情報が、単一のデータ・ライン（４３０）を介して送信される請求項１から７のいずれか一項に記載の媒体アクセス制御方法（１００）。
【請求項９】
前記競合阻止期間が、１クロック・サイクル長である請求項１から８のいずれか一項に記載の媒体アクセス制御方法（１００）。
【請求項１０】
少なくとも１つの媒体アクセス要求が、電力制御情報と関連付けられている請求項１から９のいずれか一項に記載の媒体アクセス制御方法（１００）。
【請求項１１】
前記データ・ライン（４３０）に結合された少なくとも１つの構成要素が、電力管理構成要素である請求項１から１０のいずれか一項に記載の媒体アクセス制御方法（１００）。
【請求項１２】
信号をデータ・ラインを介して交換する方法（３００）であって、複数の構成要素（４２０）により共用されるデータ・ライン（４３０）にアクセスすることを許可するステップ（３１０）と、情報を前記データ・ラインを介して、第１のクロック・レートに応じた送信レートで送信するステップ（３２０）とを備える方法（３００）において、
前記送信の完了の前に、送信される情報に応答して、前記クロック・レートを実質的に低減するときを決定するステップ（３３０）を備えることを特徴とする方法（３００）。
【請求項１３】
前記許可するステップ（３１０）が、前記データ・ライン（４３０）をモニタリングして、前記データ・ライン（４３０）にアクセスする要求を検出し、それに応答して、前記クロック・レートを増大するステップを備える請求項１２記載の方法（３００）。
【請求項１４】
データ・ライン（４１０）に結合された複数の構成要素（４２０，４１０）を備える装置（４００，４００′）であって、
（ｉ）少なくとも１つのクロック・ラインを低電力モードに維持しながら、前記データ・ラインをモニタリングし、（ｉｉ）前記少なくとも１つの構成要素により発生された少なくとも１つの媒体アクセス要求を検出し、（ｉｉｉ）前記低電力モードを出るよう前記少なくとも１つのクロック・ラインを強制し、且つ少なくとも１つの検出された媒体アクセス要求に応答して競合阻止期間を開始し、（ｉｖ）少なくとも１つの媒体アクセス許可を発生するよう適合された媒体アクセス制御器（４１０）を備えることを特徴とする装置（４００，４００′）。
【請求項１５】
前記媒体アクセス制御器（４１０）が更に、前記競合阻止期間を終了するよう適合されている請求項１４記載の装置（４００，４００′）。
【請求項１６】
前記媒体アクセス制御器（４１０）が、クロック信号を前記クロック・ライン（４４０）を介して与えることにより前記低電力モードを出るよう前記少なくとも１つのクロック・ライン（４４０）を強制する請求項１４又は１５記載の装置（４００，４００′）。
【請求項１７】
前記媒体アクセス制御器（４１０）が更に、前記競合阻止期間中に前記データ・ライン（４３０）を介して送信しないよう適合されている請求項１４から１６のいずれか一項に記載の装置（４００，４００′）。
【請求項１８】
前記少なくとも１つの構成要素が、少なくとも１つのマスタ構成要素及び少なくとも１つのスレーブ構成要素を備える請求項１４から１７のいずれか一項に記載の装置（４００，４００′）。
【請求項１９】
情報が前記データ・ライン（４３０）を介してのみ送信される請求項１４から１８のいずれか一項に記載の装置（４００，４００′）。
【請求項２０】
前記競合阻止期間が、２クロック・サイクル長である請求項１４から１９のいずれか一項に記載の装置（４００，４００′）。
【請求項２１】
少なくとも１つの媒体アクセス要求が、電力制御情報と関連付けられている請求項１４から２０のいずれか一項に記載の装置（４００，４００′）。
【請求項２２】
少なくとも１つの構成要素が、電力管理構成要素である請求項１４から２１のいずれか一項に記載の装置（４００，４００′）。
【請求項２３】
データ・ライン（４３０）に結合され且つ情報を前記データ・ラインを介して、第１のクロック・レートに応じた送信レートで送信するよう適合された少なくとも１つの構成要素を備える装置（４００，４００′）であって、
高周波数クロック信号を前記クロック・ライン（４４０）を介して与えるよう適合され、更に送信の完了前に、送信される情報に応答して、前記クロック・レートを実質的に低減するときを決定するよう適合されたクロック信号プロバイダ（４１５）を備えることを特徴とする装置（４００，４００′）。
【請求項２４】
媒体アクセス制御器（４２０）が、前記クロック信号プロバイダ（４１５）を備える請求項２３記載の装置（４００，４００′）。
【請求項２５】
共に少なくとも１つの構成要素（４２０）に結合されているデータ・ライン（４３０）及びクロック・ライン（４４０）を備える装置（４００）であって、
高周波数クロック信号を前記クロック・ライン（４４０）を介して、前記データ・ライン（４３０）を介したデータの送信中及び媒体アクセス制御シーケンス中に与え、且つ前記データ・ライン（４３０）へのアクセスを選択的に許可するよう適合された媒体アクセス制御器（４１０）を備えることを特徴とする装置（４００）。
【請求項２６】
高周波数クロック信号を前記クロック・ライン（４４０）を介して、前記データ・ライン（４３０）を介したデータの受信中に与えるよう適合された請求項２５記載の装置（４００）。
【請求項２７】
データ転送スレーブとして動作し、且つデータ転送スレーブとして動作している間に高周波数クロック信号を前記クロック・ライン（４４０）を介して与えるよう適合された請求項２５記載の装置（４００）。
【請求項２８】
媒体アクセス要求期間を、前記データ・ライン（４３０）に結合された複数の構成要素（４２０）に割り当てるよう更に適合された請求項２５から２７のいずれか一項に記載の装置（４００）。
【請求項２９】
媒体アクセス許可期間を、前記データ・ライン（４３０）に結合された複数の構成要素（４２０）に割り当てるよう更に適合された請求項２５から２８のいずれか一項に記載の装置（４００）。
【請求項３０】
前記媒体アクセス要求期間が、媒体アクセス要求期間の連続のシーケンスを形成する請求項２８又は２９記載の装置（４００）。
【請求項３１】
前記媒体アクセス許可期間が、媒体アクセス許可期間の連続のシーケンスを形成する請求項２８から３０のいずれか一項に記載の装置（４００）。
【請求項３２】
信号をデータ・ラインを介して交換する方法（６００）であって、媒体アクセス制御器（４１０）によりデータ・ライン（４３０）へのアクセスを許可するステップ（６１０）であって、前記データ・ライン（４３０）が複数の構成要素（４２０）により共用される、前記許可するステップ（６１０）と；情報を前記データ・ラインを介して、クロック信号レートに応じた送信レートで送信するステップ（３２０）とを備える方法（６００）において、
前記媒体アクセス制御器（４１０）により前記クロック信号をクロック・ライン（４４０）を介して与えるステップ（６３０）を備え、
前記許可するステップ（６１０）が、前記データ・ライン（４３０）をモニタリングして、前記データ・ライン（４３０）にアクセスする要求を検出するステップと、それに応答して、前記クロック信号レートを増大するステップとを備える
ことを特徴とする方法（６００）。
【請求項３３】
前記許可するステップ（６１０）が、前記低電力モードを出るよう前記少なくとも１つのクロック・ライン（４４０）を強制するステップ（１４０）と、前記媒体アクセス制御器又は少なくとも１つの構成要素が前記データ・ライン（４３０）にアクセスすることを要求するとき競合阻止期間を開始するステップとを備える請求項３２記載の方法（６００）。
【請求項３４】
媒体アクセス要求期間を前記データ・ライン（４３０）に結合された複数の構成要素（４２０）に割り当てるステップ（１２０）を更に備える請求項３２又は３３記載の方法（６００）。
【請求項３５】
媒体アクセス許可期間を、前記データ・ライン（４３０）に結合された複数の構成要素（４２０）に割り当てるステップ（１２５）を更に備える請求項３２から３４のいずれか一項に記載の方法（６００）。
【請求項３６】
前記媒体アクセス要求期間が、媒体アクセス要求期間の連続のシーケンスを形成する請求項３４又は３５記載の方法（６００）。
【請求項３７】
前記媒体アクセス許可期間が、媒体アクセス許可期間の連続のシーケンスを形成する請求項３５又は３６記載の方法（６００）。
【請求項３８】
その中に１組の命令を格納したコンピュータ可読媒体（８００）であって、前記１組の命令は、媒体アクセス制御器（４１０）により実行されるとき、前記媒体アクセス制御器（４１０）に少なくとも１つの媒体アクセス要求に応答して少なくとも１つの媒体アクセス許可を発生させる、前記コンピュータ可読媒体（８００）において、
前記媒体アクセス制御器（４１０）に、
少なくとも１つのクロック・ライン（４４０）を低電力モードに維持しながら、データ・ライン（４３０）をモニタリングして（１３０）、前記データ・ライン（４３０）及び前記クロック・ラインに結合される少なくとも１つの構成要素により発生された少なくとも１つの媒体アクセス要求を検出させ、及び
前記低電力モードを出るよう前記少なくとも１つのクロック・ライン（４４０）を強制させ、且つ媒体アクセス制御器（４１０）又は少なくとも１つの構成要素が前記データ・ラインにアクセスすることを要求するとき、競合阻止期間を開始させる
ことを特徴とするコンピュータ可読媒体（８００）。
【請求項３９】
その中に１組の命令を格納したコンピュータ可読媒体（８００）であって、前記１組の命令は、媒体アクセス制御器（４１０）により実行されるとき、前記媒体アクセス制御器（４１０）に、前記媒体アクセス制御器（４１０）及び少なくとも１つの構成要素により共用されるデータ・ラインへのアクセスを許可させ、それにより構成要素が、情報を前記データ・ライン（４３０）を介して、第１のクロック・レートに応じた送信レートで送信する、前記コンピュータ可読媒体（８００）において、
前記媒体アクセス制御器（４１０）に、前記の送信の完了前に、送信される情報に応答して、前記クロック・レートを実質的に低減するときを決定させることを特徴とするコンピュータ可読媒体（８００）。
【請求項４０】
その中に１組の命令を格納したコンピュータ可読媒体（８００）であって、前記１組の命令は、媒体アクセス制御器（４１０）により実行されるとき、前記媒体アクセス制御器（４１０）に前記データ・ライン（４３０）へのアクセスを許可させ、前記データ・ライン（４３０）が、複数の構成要素（４２０）により共用される、コンピュータ可読媒体（８００）において、
前記媒体アクセス制御器（４１０）に、
クロック信号をクロック・ライン（４４０）を介して、情報を前記データ・ラインを介してクロック信号レートに応じた送信レートで送信する間に与えさせ、及び
前記データ・ライン（４３０）をモニタリングして、前記データ・ライン（４３０）にアクセスする要求を検出させ、且つそれに応答して、前記クロック信号レートを増大させる
ことを特徴とするコンピュータ可読媒体（８００）。
【請求項４１】
データ・ラインに結合された複数の構成要素のうちのどの構成要素がデータ・ライン（４３０）へのアクセスを獲得することになるかを決定するステップを備える媒体アクセス制御方法（７００）であって、
媒体アクセス制御器により媒体アクセス要求期間を前記複数の構成要素（４２０）に割り当てるステップ（１２０）と、
前記媒体アクセス制御器により媒体アクセス許可期間を前記複数の構成要素（４２０）に割り当てるステップ（１２５）と、
前記媒体アクセス制御器により、前記複数の構成要素（４２０）のうちの少なくとも１つにより発生された少なくとも１つの初期媒体アクセス要求を検出するステップ（７１０）と、
前記データ・ライン（４３０）をモニタリングして、前記媒体アクセス要求期間中に発生された媒体アクセス要求を検出するステップと、
選択される構成要素と関連した媒体アクセス要求期間中に少なくとも１つの許可信号を選択的に発行するステップと
を備えることを特徴とする媒体アクセス制御方法（７００）。
【請求項４２】
前記媒体アクセス要求期間が、媒体アクセス要求期間の連続のシーケンスを形成する請求項４１記載の媒体アクセス制御方法（７００）。
【請求項４３】
前記媒体アクセス許可期間が、媒体アクセス許可期間の連続のシーケンスを形成する請求項４１又は４２記載の媒体アクセス制御方法（７００）。
【請求項４４】
媒体アクセス制御能力を有する装置（４００）であって、データ・ラインに結合された媒体アクセス制御器（４３０）及び複数の構成要素（４２０）を備え、前記媒体アクセス制御器が、どの構成要素がデータ・ライン（４３０）へのアクセスを獲得することになるかを決定するよう適合されている、前記装置（４００）において、
前記媒体アクセス制御器が更に、
媒体アクセス要求期間を前記複数の構成要素（４２０）に割り当て、
媒体アクセス許可期間を前記複数の構成要素（４２０）に割り当て、
前記複数の構成要素（４２０）のうちの１つにより発生された少なくとも１つの初期媒体アクセス要求を検出し、
前記データ・ライン（４３０）をモニタリングして、前記媒体アクセス許可期間中に発生された媒体アクセス要求を検出し、及び
少なくとも１つの許可信号を、選択された構成要素と関連した媒体アクセス許可期間中に選択的に出す
よう適合されていることを特徴とする装置（４００）。
【請求項４５】
前記媒体アクセス要求期間が、媒体アクセス要求期間の連続のシーケンスを形成する請求項４４記載の装置（４００）。
【請求項４６】
前記媒体アクセス許可期間が、媒体アクセス許可期間の連続のシーケンスを形成する請求項４４又は４５記載の装置（４００）。
【請求項４７】
その中に１組の命令を格納したコンピュータ可読媒体（８００）であって、前記１組の命令は、媒体アクセス制御器（４１０）により実行されるとき、前記媒体アクセス制御器（４１０）にどの構成要素がデータ・ライン（４３０）へのアクセスを獲得することになるかを決定させる、前記コンピュータ可読媒体（８００）において、
前記媒体アクセス制御器（４１０）に、
媒体アクセス要求期間を前記複数の構成要素（４２０）に割り当てさせ、
媒体アクセス許可期間を前記複数の構成要素（４２０）に割り当てさせ、
前記複数の構成要素（４２０）のうちの少なくとも１つにより発生された少なくとも１つの初期媒体アクセス要求を検出させ、
前記データ・ライン（４３０）をモニタリングして、前記媒体アクセス要求期間中に発生された媒体アクセス要求を検出させ、及び
少なくとも１つの許可信号を、選択された構成要素と関連した媒体アクセス許可期間中に選択的に出させる
ことを特徴とするコンピュータ可読媒体（８００）。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
少なくとも１つの媒体アクセス要求に応答して少なくとも１つの媒体アクセス許可を発生するステップ（１８０）を備える媒体アクセス制御方法（１００）であって、
媒体アクセス制御器により、少なくとも１つのクロック・ライン（４４０）を低電力モードに維持しながら、データ・ラインをモニタリングして（１３０）、前記データ・ライン（４３０）及び前記クロック・ライン（４４０）に結合される少なくとも１つの構成要素により発生された少なくとも１つの媒体アクセス要求を検出するステップと、
前記低電力モードを出るよう前記少なくとも１つのクロック・ライン（４４０）を強制し（１４０）、且つ前記媒体アクセス制御器又は少なくとも１つの構成要素が前記データ・ライン（４３０）にアクセスすることを要求するとき競合阻止期間を開始するステップと
を備えることを特徴とする媒体アクセス制御方法（１００）。
【請求項２】
信号をデータ・ラインを介して交換する方法（３００）であって、複数の構成要素（４２０）により共用されるデータ・ライン（４３０）にアクセスすることを許可するステップ（３１０）と、情報を前記データ・ラインを介して、第１のクロック・レートに応じた送信レートで送信するステップ（３２０）とを備える方法（３００）において、
前記送信の完了の前に、送信される情報に応答して、前記クロック・レートを実質的に低減するときを決定するステップ（３３０）を備えることを特徴とする方法（３００）。
【請求項３】
データ・ライン（４１０）に結合された複数の構成要素（４２０，４１０）を備える装置（４００，４００′）であって、
（ｉ）少なくとも１つのクロック・ラインを低電力モードに維持しながら、前記データ・ラインをモニタリングし、（ｉｉ）前記少なくとも１つの構成要素により発生された少なくとも１つの媒体アクセス要求を検出し、（ｉｉｉ）前記低電力モードを出るよう前記少なくとも１つのクロック・ラインを強制し、且つ少なくとも１つの検出された媒体アクセス要求に応答して競合阻止期間を開始し、（ｉｖ）少なくとも１つの媒体アクセス許可を発生するよう適合された媒体アクセス制御器（４１０）を備えることを特徴とする装置（４００，４００′）。
【請求項４】
データ・ライン（４３０）に結合され且つ情報を前記データ・ラインを介して、第１のクロック・レートに応じた送信レートで送信するよう適合された少なくとも１つの構成要素を備える装置（４００，４００′）であって、
高周波数クロック信号を前記クロック・ライン（４４０）を介して与えるよう適合され、更に送信の完了前に、送信される情報に応答して、前記クロック・レートを実質的に低減するときを決定するよう適合されたクロック信号プロバイダ（４１５）を備えることを特徴とする装置（４００，４００′）。
【請求項５】
共に少なくとも１つの構成要素（４２０）に結合されているデータ・ライン（４３０）及びクロック・ライン（４４０）を備える装置（４００）であって、
高周波数クロック信号を前記クロック・ライン（４４０）を介して、前記データ・ライン（４３０）を介したデータの送信中及び媒体アクセス制御シーケンス中に与え、且つ前記データ・ライン（４３０）へのアクセスを選択的に許可するよう適合された媒体アクセス制御器（４１０）を備えることを特徴とする装置（４００）。
【請求項６】
信号をデータ・ラインを介して交換する方法（６００）であって、媒体アクセス制御器（４１０）によりデータ・ライン（４３０）へのアクセスを許可するステップ（６１０）であって、前記データ・ライン（４３０）が複数の構成要素（４２０）により共用される、前記許可するステップ（６１０）と；情報を前記データ・ラインを介して、クロック信号レートに応じた送信レートで送信するステップ（３２０）とを備える方法（６００）において、
前記媒体アクセス制御器（４１０）により前記クロック信号をクロック・ライン（４４０）を介して与えるステップ（６３０）を備え、
前記許可するステップ（６１０）が、前記データ・ライン（４３０）をモニタリングして、前記データ・ライン（４３０）にアクセスする要求を検出するステップと、それに応答して、前記クロック信号レートを増大するステップとを備える
ことを特徴とする方法（６００）。
【請求項７】
その中に１組の命令を格納したコンピュータ可読媒体（８００）であって、前記１組の命令は、媒体アクセス制御器（４１０）により実行されるとき、前記媒体アクセス制御器（４１０）に少なくとも１つの媒体アクセス要求に応答して少なくとも１つの媒体アクセス許可を発生させる、前記コンピュータ可読媒体（８００）において、
前記媒体アクセス制御器（４１０）に、
少なくとも１つのクロック・ライン（４４０）を低電力モードに維持しながら、データ・ライン（４３０）をモニタリングして（１３０）、前記データ・ライン（４３０）及び前記クロック・ラインに結合される少なくとも１つの構成要素により発生された少なくとも１つの媒体アクセス要求を検出させ、及び
前記低電力モードを出るよう前記少なくとも１つのクロック・ライン（４４０）を強制させ、且つ媒体アクセス制御器（４１０）又は少なくとも１つの構成要素が前記データ・ラインにアクセスすることを要求するとき、競合阻止期間を開始させる
ことを特徴とするコンピュータ可読媒体（８００）。
【請求項８】
その中に１組の命令を格納したコンピュータ可読媒体（８００）であって、前記１組の命令は、媒体アクセス制御器（４１０）により実行されるとき、前記媒体アクセス制御器（４１０）に、前記媒体アクセス制御器（４１０）及び少なくとも１つの構成要素により共用されるデータ・ラインへのアクセスを許可させ、それにより構成要素が、情報を前記データ・ライン（４３０）を介して、第１のクロック・レートに応じた送信レートで送信する、前記コンピュータ可読媒体（８００）において、
前記媒体アクセス制御器（４１０）に、前記の送信の完了前に、送信される情報に応答して、前記クロック・レートを実質的に低減するときを決定させることを特徴とするコンピュータ可読媒体（８００）。
【請求項９】
その中に１組の命令を格納したコンピュータ可読媒体（８００）であって、前記１組の命令は、媒体アクセス制御器（４１０）により実行されるとき、前記媒体アクセス制御器（４１０）に前記データ・ライン（４３０）へのアクセスを許可させ、前記データ・ライン（４３０）が、複数の構成要素（４２０）により共用される、コンピュータ可読媒体（８００）において、
前記媒体アクセス制御器（４１０）に、
クロック信号をクロック・ライン（４４０）を介して、情報を前記データ・ラインを介してクロック信号レートに応じた送信レートで送信する間に与えさせ、及び
前記データ・ライン（４３０）をモニタリングして、前記データ・ライン（４３０）にアクセスする要求を検出させ、且つそれに応答して、前記クロック信号レートを増大させる
ことを特徴とするコンピュータ可読媒体（８００）。
【請求項１０】
データ・ラインに結合された複数の構成要素のうちのどの構成要素がデータ・ライン（４３０）へのアクセスを獲得することになるかを決定するステップを備える媒体アクセス制御方法（７００）であって、
媒体アクセス制御器により媒体アクセス要求期間を前記複数の構成要素（４２０）に割り当てるステップ（１２０）と、
前記媒体アクセス制御器により媒体アクセス許可期間を前記複数の構成要素（４２０）に割り当てるステップ（１２５）と、
前記媒体アクセス制御器により、前記複数の構成要素（４２０）のうちの少なくとも１つにより発生された少なくとも１つの初期媒体アクセス要求を検出するステップ（７１０）と、
前記データ・ライン（４３０）をモニタリングして、前記媒体アクセス要求期間中に発生された媒体アクセス要求を検出するステップと、
選択される構成要素と関連した媒体アクセス要求期間中に少なくとも１つの許可信号を選択的に発行するステップと
を備えることを特徴とする媒体アクセス制御方法（７００）。
【請求項１１】
媒体アクセス制御能力を有する装置（４００）であって、データ・ラインに結合された媒体アクセス制御器（４３０）及び複数の構成要素（４２０）を備え、前記媒体アクセス制御器が、どの構成要素がデータ・ライン（４３０）へのアクセスを獲得することになるかを決定するよう適合されている、前記装置（４００）において、
前記媒体アクセス制御器が更に、
媒体アクセス要求期間を前記複数の構成要素（４２０）に割り当て、
媒体アクセス許可期間を前記複数の構成要素（４２０）に割り当て、
前記複数の構成要素（４２０）のうちの１つにより発生された少なくとも１つの初期媒体アクセス要求を検出し、
前記データ・ライン（４３０）をモニタリングして、前記媒体アクセス許可期間中に発生された媒体アクセス要求を検出し、及び
少なくとも１つの許可信号を、選択された構成要素と関連した媒体アクセス許可期間中に選択的に出す
よう適合されていることを特徴とする装置（４００）。
【請求項１２】
その中に１組の命令を格納したコンピュータ可読媒体（８００）であって、前記１組の命令は、媒体アクセス制御器（４１０）により実行されるとき、前記媒体アクセス制御器（４１０）にどの構成要素がデータ・ライン（４３０）へのアクセスを獲得することになるかを決定させる、前記コンピュータ可読媒体（８００）において、
前記媒体アクセス制御器（４１０）に、
媒体アクセス要求期間を前記複数の構成要素（４２０）に割り当てさせ、
媒体アクセス許可期間を前記複数の構成要素（４２０）に割り当てさせ、
前記複数の構成要素（４２０）のうちの少なくとも１つにより発生された少なくとも１つの初期媒体アクセス要求を検出させ、
前記データ・ライン（４３０）をモニタリングして、前記媒体アクセス要求期間中に発生された媒体アクセス要求を検出させ、及び
少なくとも１つの許可信号を、選択された構成要素と関連した媒体アクセス許可期間中に選択的に出させる
ことを特徴とするコンピュータ可読媒体（８００）。
【国際調査報告】
2008542932.tif 000018
2008542932.tif 000019